(57)【要約】【課題】光入射面の法線に対して約２．８°以内の角を有して入射する光が屈折され射出されることができるようにするプリズムシートを提供する。【解決手段】本発明のプリズムシート１５０は、光源から光が入射する第１面１５２と、第１面１５２を通じて入射された光を射出する第２面１５４とを含む。第２面１５４は互いに平行な長さ方向軸を有する複数の多角形の突出部を含み、突出部の各々は前記第１面１５２と直交する線と約６５〜７５°の角を形成する少なくとも一つの第１辺と、前記第１辺と隣接し、前記第１面と直交する線と約４０〜６０°の角を形成する少なくとも一つの第２辺を有する。【選択図】　　　図１４
2004070309.tif 000002
【特許請求の範囲】
【請求項１】
光源からの光が入射される第１面と、
前記第１面を通じて入射された光を射出する第２面と
を含み、前記第２面は互いに平行である長さ方向軸を有する複数の多角形断面の突出部を含むことを特徴とするプリズムシート。
【請求項２】
前記突出部は五角形断面を有することを特徴とする請求項１に記載のプリズムシート。
【請求項３】
前記突出部の各々は前記第１面と直交する線と約６５〜７５°の角を形成する少なくとも一つの第１辺を有することを特徴とする請求項１に記載のプリズムシート。
【請求項４】
前記突出部の各々は前記第１辺と隣接し、前記第１面と直交する線と約４０〜６０°の角を形成する少なくとも一つの第２辺を有することを特徴とする請求項３に記載のプリズムシート。
【請求項５】
前記第１辺は前記第２辺より前記突出部の最上端頂点に近接することを特徴とする請求項４に記載のプリズムシート。
【請求項６】
前記第１辺の総長さは前記第２辺の総長さより長いことを特徴とする請求項４に記載のプリズムシート。
【請求項７】
前記第１辺の総長さは前記第２辺の総長さより短いことを特徴とする請求項４に記載のプリズムシート。
【請求項８】
光源から入射した光を拡散する拡散板と、
前記拡散板から入射した光を集光するプリズムシートと、
前記プリズムシートから供給された光を利用して映像を表示する液晶表示パネルと含み、
前記プリズムシートは、前記拡散板から光が入射される第１面と、
前記第１面を通じて入射された光を前記液晶表示パネル側に射出する第２面を含み、
前記第２面は互いに平行である長さ方向軸を有する複数の多角形断面の突出部を含むことを特徴とする液晶表示器。
【請求項９】
前記突出部は五角形断面を有することを特徴とする請求項８に記載の液晶表示器。
【請求項１０】
前記突出部の各々は前記第１面と直交する線と約６５〜７５°の角を形成する少なくとも一つの第１辺を有することを特徴とする請求項８に記載の液晶表示器。
【請求項１１】
前記突出部の各々は前記第１辺と隣接し、前記第１面と直交する線と約４０〜６０°の角を形成する少なくとも一つの第２辺を有することを特徴とする請求項１０に記載の液晶表示器。
【請求項１２】
前記第１辺は前記第２辺より前記突出部の最上端頂点に近接することを特徴とする請求項１１に記載の液晶表示器。
【請求項１３】
前記第１辺の総長さは前記第２辺の総長さより長いことを特徴とする請求項１１に記載の液晶表示器。
【請求項１４】
前記第１辺の総長さは前記第２辺の総長さより短いことを特徴とする請求項１１に記載の液晶表示器。
【発明の詳細な説明】
【０００１】
【発明の属する技術分野】
本発明はプリズムシートに関するものであり、より詳細には、液晶表示器に適用され、光の輝度を向上させるためのプリズムシート構造及びこのプリズムシートを有する液晶表示器に関するものである。
【０００２】
【従来の技術】
プリズムシートはディスプレー装置の部品、例えば、ＬＣＤ用後面光源、輝度向上用フィルム、光反射用フィルムなどに使用され、少なくとも一面に接着性が付与されたポリエステールフィルムをベースフィルムとして有し、紫外線硬化性樹脂がベースフィルム上にラミネートされているシートを称する。
【０００３】
特に、このプリズムシートは液晶表示器において、拡散板を通過した光の視野角を狭くして輝度を向上させる目的で主に使用される。
【０００４】
液晶表示器の輝度を向上させるための多様な試みがある。このような試みのうち、供給電圧を高める方法は意図した輝度向上を達成することを可能にするが、バッテリーの容量を増加させることにより、軽量化をなすことができずに、またバッテリーの寿命を減少させる。
このために、供給電圧を上昇させることなく、輝度を向上させる努力が行われている。
【０００５】
［特許文献１］には、一面が有形状面になっており、この有形状面に対向する面が滑らかな面となっている重合体物質に作った薄い可撓性フィルムが提案されている。ここで、有形状面は複数のピークと溝をなすように並べて配列される実質的に直交した傾斜面を備えた小型二等辺プリズムの線形配列を含む。プリズムの傾斜面は滑らかな面（光射出面）に直交するライン（法線）に対して約４５°の角を有する。
【０００６】
しかし、このフィルムは光線を内部的に反射するのに使用することを意図として提案されたもので、液晶表示器に使用するためのものではなかった。
【０００７】
図１は従来の液晶表示器に適用された二等辺三角形構造のプリズムシート１０の斜視図である。図１に示すように、光が射出される面に一側方向、例えば、ｘ−方向に沿って二等辺三角形のプリズム１２が並べて配列されている。プリズム１２が形成された面と逆に向き合っている面は滑らかな面１４としてあり、この滑らかな面１４に直交する法線Ｙについて、これらプリズム１２の傾斜面Ｃ１は約４５度の角を有する。
【０００８】
図２では、プリズムシートの内部を通りこの右側傾斜面Ｃ２側に入射する光が法線Ｙに沿うものとそれと約２．８度以内の角を有するものとが示され、この入射光は経路Ｌ１とＬ２に沿って全反射され、結局損失となる。
【００９】
また、図３では、プリズムシートの内部を通り左側傾斜面Ｃ１側に入射する光が前記法線Ｙに沿うものとそれと約２．８度以内の角を有するものとが示され、この入射光は経路Ｌ３とＬ４に沿って全反射され、結局損失となる。
【００１０】
前記はプリズムシートの傾斜面に入射する光が法線Ｙと約２．８度以内の角を有する場合、光効率が低下し結果的に、正面輝度が低下するということを意味する。
【００１１】
図４は従来の液晶表示器で導光板から射出された光が拡散シートを通過した後の、視野角別輝度分布を測定した結果を示す図面であり、図５は従来の液晶表示器でプリズムシートを通過した光の輝度分布を測定した結果を示す図面である。図４の上側の図形グラフは視野角別輝度分布を示したグラフで、このグラフ中のＡ１−Ａ１´ラインに沿って視野角別輝度分布を示したものが図４の下側のグラフであり、また図５の上側の図形グラフも視野角別輝度分布を示したグラフで、このグラフのＢ１−Ｂ１´ラインに沿って視野角別輝度分布を示したものが図５の下側のグラフである。
【００１２】
図４に示すように、拡散シート上の一点で視野角を変化させながら、輝度の分布を測定した時、約±３４°までの視野角で（即ちＡで示される領域で）全体光量のうちの約５５．５％が出光されることが判る。尚、図４において（図５においても同じ）、輝度の単位はｎｉｔ（ｃｄ／ｍ２）であり、同図右上の枠内の数値範囲もｎｉｔで示してある。この枠内で５０．０％の表示の意味は、この数値に対応して示した太線が図４の上側の図形グラフにも示されており、該太線の部分での輝度が最高輝度の５０．０％になるという位置を示している。図５は画面がディスプレーされる正面に光を屈折及び出光させるためのプリズムシートについての図４に対応した図で、このプリズムシートは拡散シートから光を受けるので入射される光の約５５．５％が約±３４°内の入射角を有する。
【００１３】
だから、法線に対して約２．８度以内の入射角を有する光がプリズムシートを射出しないことにより惹起される輝度低下を防止することが必要である。
【００１４】
このような輝度の低下を防止するために、次の先行技術が提案された。
【００１５】
［特許文献２］は、バックライトの正面輝度を低下させないように、プリズムシートによる明暗形態の帯の発生を抑制することができるプリズムシート及びバックライトを提供するためのものとして、各プリズム単位のプリズム面が１μｍ以上のうねりを有する二等辺三角形断面のプリズム単位を備えたプリズムシートを開示する。
【００１６】
［特許文献３］は、指向特性を改善して、正面輝度を改善するためのものとして、一側面に母線を互いに平行とする二つの曲突面から成る柱面が左右対称に配置された形状単位が、母線と直交する方向に複数が平行に形成された透明シートであり、各接面及び平面が１８０°より小さい角度で交差する形状を有するものを示す。
【００１７】
［特許文献４］は、液晶表示装置の面光源装置の輝度を増大させるために使用されたもので、縞模様が発生しないようにしたプリズムシートを提供し、面光源装置の射出側に配置された表面に複数の凸部の部分を有し、この凸部分の全体または一部に皺を形成して縞模様が発生されないようにしたものである。
【００１８】
［特許文献５］は、法線輝度を低下せずに、傾斜方向の不必要な光をなくすことができるようにするもので、透光性基材の射光面に単位レンズ部を１次元又はとか２次元的に複数配列したレンズ配列層を有するレンズシートを示し、ここで単位レンズ部は射光側に両側が傾斜するように形成され、１方向または直交する２方向の断面形状が５角形であり、基部側の二辺間の角（θ４）が上部分の二辺間の角（θ３）より小さい角度である。
【００１９】
しかし、前述した先行技術は縞模様の発生を防止し、輝度を増加させる目的を達成するが、光射出面に垂直な法線に対して約２．８度以下の角度で入射した光の使用と関連した問題を解決しなかった。後述するようにプリズムシートに入射する光分布のうちの約７５％程度が約５０度以内で入射するために、前述した約２．８度以下の角度に入射する光の使用効率を高くすることが輝度増加のために重要である。
【００２０】
【特許文献１】
米国特許第４，９０６，０７０号明細書
【特許文献２】
特開平８−３２０４０５号公報
【特許文献３】
特開平７−２３０００２号公報
【特許文献４】
特開平６−２５０１８２号公報
【特許文献５】
特開平８−２５４６０６号公報
【００２１】
【発明が解決しようとする課題】
本発明の第１の目的は、特定視野角での輝度低下を防止することができるプリズムシートを提供することにある。
【００２２】
本発明の第２の目的は、入射光の利用効率を高くすることができるプリズムシートを提供することにある。
【００２３】
本発明の第３の目的は、特定視野角での輝度低下を防止することができるプリズムシートを有する液晶表示器を提供することにある。
【００２４】
本発明の第４の目的は、入射光の利用効率を高くすることができる液晶表示器を提供することにある。
【００２５】
【課題を解決するための手段】
上述した目的を達成するための本発明によるプリズムシートは、光源から光が入射される第１面と、前記第１面を通じて入射された光を射出する第２面を含み、前記第２面は実質的に互いに平行である長さ方向軸を有する複数の多角形断面の突出部を含む。
【００２６】
前記突出部の各々は前記第１面と直交する線と約６５〜７５°の角を形成する少なくとも一つの第１辺と、前記第１辺と隣接し、前記第１面と直交する線と約４０〜６０°の角を形成する少なくとも一つの第２辺を有する。
【００２７】
前記第１辺は前記第２辺より前記突出部の最上端頂点に近接するようにできる。
【００２８】
また逆に、前記第２辺は前記第１辺より、前記突出部の最上端頂点に近接するようにもできる。
【００２９】
望ましくは、前記第１辺の総長さは前記第２辺の総長さより長い。望ましくは、前記突出部は五角形断面を有する。
【００３０】
上述した他の目的を達成するための本発明による液晶表示器は、光源から入射した光を拡散する拡散板と、前記拡散板から入射した光を集光するプリズムシートと、前記プリズムシートから供給された光を利用して映像を表示する液晶表示パネルと含み、前記プリズムシートは、前記拡散板から光が入射される第１面と、前記第１面を通じて入射された光を前記液晶表示パネル側に射出する第２面を含み、前記第２面は互いに平行である長さ方向軸を有する複数の多角形断面の突出部を含む。
【００３１】
前記プリズムシートの突出部の各々は、前記第１面と直交する線と約６５〜７５°の角を形成する少なくとも一つの第１辺と、第１辺と隣接し、前記第１面と直交する線と約４０〜６０°の角を形成する少なくとも一つの第２辺を有する。
【００３２】
前記第１辺は前記第２辺より前記突出部の最上端頂点に近接するようにできる。
【００３３】
また逆に、前記第２辺は前記第１辺より前記突出部の最上端頂点に近接するようにもできる。
【００３４】
望ましくは、前記第１辺の総長さは前記第２辺の総長さより長い。
【００３５】
本発明の他の目的、特徴及び長所は、本発明の詳細な説明からさらに明白になる。
【００３６】
【発明の実施の形態】
以下、図面を参照して本発明の望ましい一実施形態をより詳細に説明する。
【００３７】
図６は本発明の一実施形態によるプリズムシートの斜視図であり、図７は図６のプリズムシートにおける一つの突出部の断面図である。
【００３８】
図６に示すように、プリズムシートは光が入射される入射面である第１面５２と、第１面５２を背にしており、多角形構造の複数の突出部５６を有する第２面５４を含む。各々の突出部５６は一方向（Ｘ−方向）に沿って実質的に互いに平行に配列されている。
【００３９】
突出部５６は、図７に示したように、少なくとも五角形の多角形構造を有する。図７の断面構造で、最も高い頂点Ｐに連接する二辺（ｅ１、ｅ２）の各々は第１面の法線Ｙと約６５°〜７５°の角度Ｃを有し、望ましくは、約７０°の角度を有する。これは前述したように、法線に対して約２．８°以内の角を有しで各突出部５６の傾斜面に入射する光が反射されずに、射出されるようにする範囲に該当する。第１辺（ｅ１、ｅ２）に連接した第２辺（ｅ３、ｅ４）は第１面の法線Ｙに対して約４０°〜６０°の角度Ｄを有する。
【００４０】
図８は図７の変形形態を示した図面で、突出部が五角形の辺の数である５個より多い数の辺を有し、最も高い頂点Ｐに連接した辺ｅ１は第１面の法線Ｙと約４０°〜６０°の角度Ｃを有し、第１辺ｅ１に連接した第２辺ｅ３は、第１面の法線Ｙに対して約６５〜７５の角度Ｄを有し、望ましくは約７０°角度を有する。これは、前述したように、法線Ｙに対して約２．８°以内の角を有して各突出部の傾斜面に入射する光が反射されずに、射出されるようにする範囲に該当する。
【００４１】
図９は本発明の他の実施形態によるプリズムシートで一つの突出部の断面図であり、図１０は図９の“Ａ”部分の詳細図である。図９と図１０に示したように、本発明の突出部は法線Ｙに対して約６５°〜７５°の角度Ｄ、Ｅを有する二つ以上の辺（ｅ３、ｅ７）を含み、これら辺（ｅ３、ｅ７）は、望ましくは、約７０°の角度を有する。
【００４２】
同様に、この角度は法線に対して約２．８°以内の角を有して各突出部の傾斜面に入射する光が反射されずに、射出されるようにする角度範囲に該当する。
【００４３】
以上の実施形態で提示された突出部はプリズムシートの第１面に垂直な法線Ｙに対して少なくとも一辺が約６５°〜７５°の角度を有する。この角度は法線に対して約２．８°以内の角を有して各突出部の傾斜面に入射する光が反射されずに、射出されるようにする角度であり、これにより光効率を向上させる。
【００４４】
図１１と図１２は、図６から図１２に示したプリズムシートの作用を説明するための概念図としての断面であり、図１１は光が断面で見たプリズムシートの左側から入射される際の概念図であり、図１２は光が断面形状プリズムの右側から入射される際の概念図である。
【００４５】
図１１に示すように、断面の左側から法線Ｙに対して約７０°の角を有する辺に対し、種々の光線（Ｌ１〜Ｌ４）が入射する。これら光線（Ｌ１〜Ｌ４）のうち、法線Ｙに対して約２．８°より大きい角を有して入射する光線（Ｌ２〜Ｌ４）は、突出部と空気間の屈折率差異により突出部の傾斜面Ｃ２で屈折され、突出部の外側に射出される。
【００４６】
これと共に、法線Ｙに対して約２．８°以内の角を有して入射する光線Ｌ１も、前述した突出部の傾斜面Ｃ２で屈折され突出部の外側に射出される。
【００４７】
図１２に示すように、断面の右側から法線Ｙに対して約７０°の角を有する辺に対し、種々の光線（Ｌ５〜Ｌ６）が入射する。これら光線（Ｌ５〜Ｌ６）のうち、法線Ｙに対して約２．８°より大きい角を有して入射する光は突出部と空気との間の屈折率差異により傾斜面Ｃ２で屈折され突出部の外側に射出される。
【００４８】
これと共に、法線Ｙに対して約２．８°以内の角を有して入射する光線も、前述した突出部の傾斜面Ｃ２で屈折され突出部の外側に射出される。
【００４９】
前述したように、プリズムシート内に入射した光は突出部の傾斜面で屈折されながら射出されるが、本発明の突出部を有するプリズムシートは法線に対して約２．８°以内の角を有して入射する光線も、前述した突出部の傾斜面で反射されるものではなく、屈折され突出部の外側に射出されるようにする。従って、従来のプリズムシートに比べて、プリズムシート内に入射されて射出される光量が増加されて、光効率が向上される。
【００５０】
図１３は本発明のプリズムシートが適用された液晶表示器の分解斜視図である。
【００５１】
図１３に示すように、本発明の液晶表示器はバックライト光源１３０から射出され、導光板１２０とその下部の反射板１１０を通じて入射される光を拡散する拡散板１４０と、拡散板１４０から入射した光に対する視野角を狭くするためのプリズムシート１５０と、プリズムシート１５０を通過した光を偏光する偏光板（図示せず）、及び偏光板を通じて偏光された光を利用して映像を表示する液晶表示パネル１６０を含む。符号１００は下部ケース、１６２はカラーフィルタ基板、１６４はＴＦＴ基板、１６６はデータＰＣＢ（プリンティッドサーキットボード）、１６６はゲートＰＣＢ、１８０は偏光板、そして、１９０は上部ケースを各々示す。
【００５２】
プリズムシート１５０は、図１４に示したように、拡散板１４０から光が入射される入射面である第１面１５２と、第１面を背にしており、複数の突出部１５６を有し、第１面１５２を通じて入射した光が射出する第２面１５４とを含む。各々の突出部１５６は一方向（Ｘ−方向）に沿って実質的に、互いに平行に配列されている。
【００５３】
図１４に示すように、突出部１５６は少なくとも五角形の多角形構造を有する。図１４と図７の断面構造を参照して述べると、最も高い頂点Ｐに連接する二辺（ｅ１、ｅ２）の各々は第１面の法線Ｙと約６５°〜７５°の角度Ｃを有し、望ましくは、約７０°の角度を有する。これは前述したように、法線に対して約２．８°以内の角を有て各突出部５６の傾斜面に入射する光が反射されずに、射出されるようにする範囲に該当する。第１辺（ｅ１、ｅ２）に連接した第２辺（ｅ３、ｅ４）は第１面５２の法線Ｙに対して約４０°〜６０°の角度Ｄを有する。
【００５４】
選択的に、図８に示したように、突出部が五角形より多い数の辺を有し、最も高い頂点Ｐに連接された辺ｅ１に連接した辺ｅ３が第１面の法線Ｙと約６５°〜７５°の角度Ｄを有し、望ましくは約７０°の角度を有する。これは、前述したように、法線Ｙに対して約２．８°以内の角を有して各突出部の傾斜面に入射する光が反射されずに、射出されるようにする範囲に該当する。第１辺ｅ１は、第１面の法線Ｙに対して約４０〜６０の角度Ｃを有する。
【００５５】
また、本発明の液晶表示器に適用されたプリズムシートの突出部は、図９と図１０に示したように、法線Ｙに対して約６５°〜７５°の角度Ｄ、Ｅを有する二つ以上の辺（ｅ３、ｅ７）を含み、これら辺（ｅ３、ｅ７）は、望ましくは、約７０°の角度を有する。
【００５６】
同様に、この角度は法線に対して約２．８°以内の角を有して各突出部の傾斜面に入射する光が反射されずに、射出されるようにする角度範囲に該当する。
【００５７】
図１５は図１２の液晶表示器で光源から射出された光の導光板での挙動などを示す図面である。
【００５８】
図１５に示すように、導光板１２０の屈折率Ｎｇを１．４９とする時、ランプ１３０から射出されて導光板１２０に入射された光は全反射し、導光板１２０の内側を進行するうち、導光板１２０の基底面の印刷部や溝１２２に反射され光は導光板１２０の上面に射出される。導光板１２０に入射された光は全反射角より内側の角範囲にある光のみを射出する。
【００５９】
空気の屈折率Ｎｇが１．０であり、導光板の屈折率Ｎｇが１．４９である時、全反射角（θ）のサイン値は導光板１２０の屈折率Ｎｇに対する空気の屈折率Ｎｇの比と同一、即ち、ｓｉｎθ＝Ｎｇ÷Ｎｇ≒０．６７１１４である。従って、全反射角θ＝約４２．１５５°である。だから、導光板に入射された光は全反射角である４２．１５５°以内のものである時、導光板１２０の外側に射出される。
【００６０】
図１６は図１３の液晶表示器で導光板１２０と、その上部の空間との間での光の射出角変化を説明するための図面である。
【００６１】
次の表１は射出面の法線方向Ｙに対して入射角Ａが変化される時の射出角Ｂの変化を示す。
【表１】
2004070309.tif 000003
【００６２】
表１から分かるように、導光板１２０では入射角が臨界角（Ａ≒４２．１５５）に向け増加するに従い射出角が増加する。導光板での入射角が０°から約４２．１５５°まで均一に入射すると仮定する時、０°から４０°で入射する光は０°から約４２．１５５°までの角度で入射する光のうちの約９４．９％を占め、０°から４０°で入射する光の射出角は０°から７３．２８°の射出角（Ｂ）を有する。
【００６３】
図１７は図１３の液晶表示器で拡散板１４０と、その上部の空間との間での光の射出角変化を説明するための図面である。
【００６４】
次の表２は射出面の法線方向Ｙに対する射出角Ａの分布比率を示し、三星電子（株）の量産モデルである１５．３インチのバックライトユニットの測定結果である。
【表２】
2004070309.tif 000004
【００６５】
表２から分かるように、射出角が０〜３４°の範囲にある光の分布比率が最も多い約５５．５％であり、射出角が３４〜５０°の範囲にある光の分布比率が第二番目に多い約２０．３８％であった。この結果は、大部分の光が約０〜５０°の射出角を有してプリズムシートに入射するということを意味する。これは図４に示したグラフに示した測定値と一致する。
【００６６】
このような結果は、プリズムシートを基準にする時、法線基準にして約２．８°以内の角を有して入射する光量が相当に多いことを意味する。
【００６７】
前述したように、本発明のプリズムシートは前記した法線に対して、突出部の傾斜面が法線基準にして約６５〜７５°の角を有する辺を有するために、２．８°以内の角を有して入射する光は、所定部分で屈折してプリズムシート外側に射出される。多角形構造の特性上、突出部の全ての辺を前述した角度範囲、即ち６５〜７５°の角を有するようにすることができないために、２．８°以内の角を有して入射する光がプリズムシートの突出面により部分的に反射されることは不可避である。だから、プリズムシートの断面が五角形構造に作られる場合、頂点に連接する四つの辺のうちの法線方向に対して、前述した角度範囲、即ち６５〜７５°の角度範囲を有する辺の長さを可能な限り長く構成することが望ましい。
【００６８】
これと共に、図９と図１０に示したように、最頂点に連接する二辺を鋸刃状に作る場合、前記した角度範囲を有する辺の長さを全体長さに対して適切に選択するようにする。
【００６９】
即ち、前述した角度範囲６５〜７５°より小さい角を有する辺の長さが長くなるほど、突出部の山の幅が狭くなり、即ち、二鋸刃状辺をなす（α）が小さくなり、前述した角度範囲６５〜７５°以内の辺の長さが長くなるほど突出部の山の幅は広くなる。即ち、二鋸刃状辺をなす角（α）が大きくなる。
【００７０】
これは同一の面積のプリズムシートを考慮する時、突出部の数が後者の場合が前者の場合に比べる時、さらに小さくなるということを意味する。突出部の角が小さいと、前述した光学的性質の低下だけでなく、製作が困難であるので、可能な限り前記した角度範囲の辺の長さを長くすることが望ましい。
【００７１】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【００７２】
【発明の効果】
本発明によると、プリズムシートは光入射面に対して約２．８°以内の角を有して入射する光がその上側傾斜面で反射されずに、屈折され射出されるようにすることにより、輝度低下を防止し、それにより入射光の利用効率を向上させることができる。
【００７３】
また、本発明のプリズムシートは、液晶表示器に適用されることができ、供給電源を増加させずに、プリズムシート内で反射される光量を減少させることにより輝度を向上させ、入射光の利用効率を高くすることができる。
【００７４】
これと共に、液晶表示器がノートブックコンピュータのように高い輝度を必要とする携帯用電子機器に適用される場合、輝度を高くするために別途の高電圧供給が不必要であるので、使用時間が増加される。
【図面の簡単な説明】
【図１】従来の技術によるプリズムシートの斜視図である。
【図２】図１のプリズムシートの作用を説明するための断面概念図であり、光が断面をとったプリズムの右側辺に入射される時の概念図である。
【図３】図１のプリズムシートの作用を説明するための断面概念図であり、光が断面をとったプリズムの左側辺に入射される時の概念図である。
【図４】従来の液晶表示器で拡散板を通過した光の輝度分布を測定した結果を示す図面である。
【図５】従来の液晶表示器でプリズムシートを通過した光の輝度分布を測定した結果を示す図面である。
【図６】本発明の一実施形態によるプリズムシートの斜視図である。
【図７】図６のプリズムシートで一つの突出部の断面図である。
【図８】図７の変形形態を示した図面である。
【図９】本発明の他の実施形態によるプリズムシートにおける一つの突出部の断面図である。
【図１０】図９の“Ａ”部分の詳細図である。
【図１１】図６乃至図９に示したプリズムシートの作用を説明するための断面概念図であり、光が断面をとったプリズムの右側辺に左側から入射される時の概念図である。
【図１２】図６乃至図９に示したプリズムシートの作用を説明するための断面概念図であり、光が断面をとったプリズムの右側辺に右側から入射される時の概念図である。
【図１３】本発明の他の実施形態によるものであり、図６乃至図９のプリズムシートが適用された液晶表示器の分解斜視図である。
【図１４】図１２に適用されたプリズムシートの斜視図である。
【図１５】図１３のプリズムシートが適用される図１２の液晶表示器で光源と導光板での光の挙動を説明するための図面である。
【図１６】図１２の液晶表示器で導光板とその上部の空間との間での光の射出角変化を説明するための図面である。
【図１７】図１２の液晶表示器で拡散板とその上部の空間との間での光の射出角変化を説明するための図面である。
【符号の説明】
５０、１５０　　プリズムシート
５２、１５２　　第１面
５４、１５４　　第２面
５６、１５６　　突出部
１２０　　導光板
１３０　　バックライト光源
１４０　　拡散板
１６０　　液晶表示パネル
【図１】
2004070309.tif 000005
【図２】
2004070309.tif 000006
【図３】
2004070309.tif 000007
【図４】
2004070309.tif 000008
【図５】
2004070309.tif 000009
【図６】
2004070309.tif 000010
【図７】
2004070309.tif 000011
【図８】
2004070309.tif 000012
【図９】
2004070309.tif 000013
【図１０】
2004070309.tif 000014
【図１１】
2004070309.tif 000015
【図１２】
2004070309.tif 000016
【図１３】
2004070309.tif 000017
【図１４】
2004070309.tif 000018
【図１５】
2004070309.tif 000019
【図１６】
2004070309.tif 000020
【図１７】
2004070309.tif 000021